(57)【要約】【課題】軸受における騒音を抑制したファンモータユニット、及びそのファンモータユニットを備えた空調室内機を提供する。【解決手段】室内ファンモータユニット７２は、ファン７１を回転させるファンモータユニットであって、回転子７１９と、固定子軸受７５と、固定子７２１と、軸受穴７２４と、固定子ハウジング７３１とを備えている。回転子７１９は、ファン７１の第１シャフト７１２に固定され磁力の作用で回転する。固定子軸受７５は、第１シャフト７１２を支持する。固定子７２１は、回転子７１９に磁力を作用させる。軸受穴７２４は、固定子７２１のほぼ中央を一端から他端へ貫通する筒状の空洞を成し、固定子軸受７５が挿入される。固定子ハウジング７３１は、固定子７２１を収納し軸受穴７２４を外部から目視するための確認穴７３９ａを有する。【選択図】図５
2008088831.tif 000002
【特許請求の範囲】
【請求項１】
空調室内機（２）内に配置されたファン（７１）を回転させるファンモータユニットであって、
前記ファン（７１）の回転軸（７１２）に固定され、磁力の作用で回転する回転子（７１９）と、
前記回転軸（７１２）を支持する軸受（７５）と、
前記回転子（７１９）に磁力を作用させる固定子（７２１）と、
前記固定子（７２１）のほぼ中央を一端から他端へ貫通する筒状の空洞を成し、前記軸受（７５）が挿入される軸受穴（７２４）と、
前記固定子（７２１）を収納し、前記軸受穴（７２４）を外部から目視するための確認穴（７３９ａ）を有するハウジング（７３１）と、
を備えたファンモータユニット（７２）。
【請求項２】
前記確認穴（７３９ａ）の径寸法が、前記軸受穴（７２４）の径寸法よりも大きい、
請求項１に記載のファンモータユニット（７２）
【請求項３】
前記軸受穴（７２４）は、前記軸受（７５）の移動を規制する凸状段差（７２４ｄ，７２４ｅ）を有し、
前記軸受（７５）は、前記凸状段差（７２４ｄ，７２４ｅ）が嵌り込む凹状段差（７５２ｄ，７５２ｅ）を有する、
請求項１に記載のファンモータユニット（７２）。
【請求項４】
前記軸受穴（７２４）の凸状段差（７２４ｄ，７２４ｅ）が、前記軸受（７５）の凹状段差（７５２ｄ，７５２ｅ）に嵌り込んだときに、前記軸受（７５）の挿入方向側端部が前記確認穴（７３９ａ）側から目視できる位置に到達している、
請求項３に記載のファンモータユニット（７２）。
【請求項５】
前記ハウジング（７３１）は、両端が開放された筒状を成し前記固定子（７２１）の外周を囲むように収納する固定子ケース（７３２）と、前記固定子ケース（７３２）の一端を覆いほぼ中央に前記確認穴（７３９ａ）が設けられた固定子カバー（７３９）とから成る、
請求項１に記載のファンモータユニット（７２）
【請求項６】
前記固定子ケース（７３２）に前記固定子（７２１）と前記固定子カバー（７３９）とが組み込まれた後に、前記軸受（７５）が前記軸受穴（７２４）に挿入される、
請求項５に記載のファンモータユニット（７２）。
【請求項７】
前記ファン（７１）と、
前記ファン（７１）を回転させる、請求項１から請求項６のいずれか１項に記載のファンモータユニット（７２）と、
前記ファン（７１）の回転によって発生する空気流との間で熱交換を行う室内熱交換器（５０）と、
を備えた空調室内機（２）。
【発明の詳細な説明】
【技術分野】
【０００１】
本発明は、室内に空気を送風するファンを回転させるファンモータユニット、及びそのファンモータユニットを備えた空調室内機に関する。
【背景技術】
【０００２】
従来、空調室内機では、室内に空気を送風するファンを回転させるために、ファンの回転軸にファンモータユニットの回転軸を直結する方法が採用されていた。（例えば、特許文献１参照）。ここで使用されるファンモータユニットは、回転子と固定子が１つのハウジング内に組み込まれたものであり、ファンの回転軸方向から装着された後にファンの回転軸とモータの回転軸とが連結される。このため、作業性が悪く製造コスト高騰の要因となっていた。そこで、ファンモータユニットの回転子と固定子を分離し、予め回転子が連結されたファンの回転軸に固定子を差し込む構成が採用されるようになり、その結果、作業性が向上した。
【特許文献１】特開２００３−２５４５５０号公報
【発明の開示】
【発明が解決しようとする課題】
【０００３】
しかしながら、上記の構成では回転子と固定子とが分離されているために、固定子軸受の位置ずれ、固定子軸受への異物付着が発生し易くなり、ファン回転時に異音が発生し不快な騒音となる可能性があった。
【０００４】
本発明の課題は、軸受における騒音を抑制したファンモータユニット、及びそのファンモータユニットを備えた空調室内機を提供することにある。
【課題を解決するための手段】
【０００５】
第１発明に係るファンモータユニットは、空調室内機内に配置されたファンを回転させるファンモータユニットであって、回転子と、軸受と、固定子と、軸受穴と、ハウジングとを備えている。回転子は、ファンの回転軸に固定され磁力の作用で回転する。軸受は、ファンの回転軸を支持する。固定子は、回転子に磁力を作用させる。軸受穴は、固定子のほぼ中央を一端から他端へ貫通する筒状の空洞を成し、軸受が挿入される。ハウジングは、固定子を収納し、軸受穴を外部から目視するための確認穴を有する。
【０００６】
このファンモータユニットでは、作業者は、ハウジングの確認穴から固定子の軸受穴を目視することができる。このため、作業者は、軸受が軸受穴に正しく挿入されているか否かを確認することができ、軸受の挿入不良があった場合でも、その挿入不良が早期に発見され、騒音の要因である軸受の位置ずれが未然に防止される。
【０００７】
第２発明に係るファンモータユニットは、第１発明に係るファンモータユニットであって、確認穴の径寸法が、軸受穴の径寸法よりも大きい。
【０００８】
このファンモータユニットでは、作業者は、軸受穴に挿入された軸受の先端部の位置を、確認穴から目視することができる。このため、作業者は、軸受が軸受穴に正しい位置まで挿入されているか否かを確認することができ、軸受の挿入不良があった場合でも、その挿入不良が早期に発見され、騒音の要因である軸受の位置ずれが未然に防止される。
【０００９】
第３発明に係るファンモータユニットは、第１発明に係るファンモータユニットであって、軸受穴が、軸受の移動を規制する凸状段差を有する。また、軸受は、凸状段差が嵌り込む凹状段差を有する。
【００１０】
このファンモータユニットでは、軸受穴が軸受に挿入されたときに、軸受穴の凸状段差が凹状段差に嵌り込む感覚が作業者の手に伝達される。このため、作業者は、軸受穴に軸受が正しく挿入されたことを容易に認識することができ、騒音の要因である軸受の位置ずれが未然に防止される。
【００１１】
第４発明に係るファンモータユニットは、第３発明に係るファンモータユニットであって、軸受穴の凸状段差が軸受の凹状段差に嵌り込んだときに、軸受の挿入方向側端部が確認穴側から目視できる位置に到達している。
【００１２】
このファンモータユニットでは、作業者が、軸受の挿入方向側端部の到達位置を、固定子カバーの確認穴から確認できる。このため、作業者は、軸受の挿入方向側端部の到達位置を確認穴から確認することで、軸受穴の凸状段差が軸受の凹状段差に正確に嵌り込むところまで軸受が正しく挿入されたか否かを判定することができ、次の組立工程に軸受の挿入不良品が流出することを未然に防止することができる。
【００１３】
第５発明に係るファンモータユニットは、第１発明に係るファンモータユニットであって、ハウジングが、両端が開放された筒状を成し固定子の外周を囲むように収納する固定子ケースと、固定子ケースの一端を覆いほぼ中央に確認穴が設けられた固定子カバーとから成る。
【００１４】
このファンモータユニットでは、固定子ケースの一端が固定子カバーで覆われても、作業者は、固定子カバーの確認穴から固定子の軸受穴を目視することができる。このため、作業者は、軸受が軸受穴に正しく挿入されているか否かを、固定子カバーの確認穴から目視で確認することができ、軸受の挿入不良があった場合でも、その挿入不良が早期に発見され、騒音の要因である軸受の位置ずれが未然に防止される。
【００１５】
第６発明に係るファンモータユニットは、第５発明に係るファンモータユニットであって、固定子ケースに固定子と固定子カバーとが組み込まれた後に、軸受が軸受穴に挿入される。
【００１６】
このファンモータユニットでは、固定子ケース、固定子および固定子カバーの組立が先に行われるので、塵などの異物が軸受表面に付着することがない。このため、回転軸と軸受との間に異物が介在しないので異常音を発生させることがない。
【００１７】
第７発明に係る空調室内機は、ファンと、第１発明から第６発明のいずれか１つに記載のファンモータユニットと、室内熱交換器とを備えている。ファンモータユニットは、ファンを回転させる。室内熱交換器は、ファンの回転によって発生する空気流との間で熱交換を行う。
【００１８】
この空調室内機では、ファンモータユニットの異常音の発生が抑制されており、異常音によって人に不快感を与える可能性が低い。
【発明の効果】
【００１９】
第１発明と第２発明に係るファンモータユニットでは、作業者は、軸受が軸受穴に正しく挿入されているか否かを、ハウジングの確認穴から目視で確認することができ、騒音の要因である軸受の位置ずれが未然に防止される。
【００２０】
第３発明に係るファンモータユニットでは、作業者は、軸受穴に軸受が正しく挿入されたことを容易に認識することができ、騒音の要因である軸受の位置ずれが未然に防止される。
【００２１】
第４発明に係るファンモータユニットでは、作業者は、軸受穴の凸状段差が軸受の凹状段差に正確に嵌り込むところまで軸受が正しく挿入されたか否かを判定することができ、次の組立工程に軸受の挿入不良品が流出することを未然に防止することができる。
【００２２】
第５発明に係るファンモータユニットでは、作業者は、軸受が軸受穴に正しく挿入されているか否かを、固定子カバーの確認穴から目視で確認することができ、騒音の要因である軸受の位置ずれが未然に防止される。
【００２３】
第６発明に係るファンモータユニットでは、固定子ケース、固定子および固定子カバーの組立が先に行われるので、塵などの異物が軸受表面に付着することがない。このため、回転軸と軸受との間に異物が介在しないので異常音を発生させることがない。
【００２４】
第７発明に係る空調室内機では、ファンモータユニットの異常音の発生が抑制されており、人に不快感を与える可能性が低い。
【発明を実施するための最良の形態】
【００２５】
＜空気調和装置の全体構成＞
図１は、空気調和装置の外観図である。空気調和装置１は、調和された空気を室内に供給するための装置であり、室内の壁面などに取付けられる室内機２と、室外に設置される室外機３とを備えている。室内機２と室外機３とは、冷媒配管４によって結ばれており冷媒の流通が可能である。
【００２６】
＜空気調和装置の冷媒回路の概略構成＞
図２は、空気調和装置の冷媒回路の構成図である。冷媒回路は、アキュムレータ３１、圧縮機３２、四路切換弁３３、室外熱交換器３０、電動膨張弁３４および室内熱交換器５０で形成されている。
【００２７】
室内熱交換器５０は、室内機２内に配置されており、室内空気との間で熱交換を行う。また、室内機２には、ファン７１と室内ファンモータユニット７２とが設けられている。ファン７１は、室内空気を吸い込み室内熱交換器５０で熱交換された空気を室内に排出する。室内ファンモータユニット７２は、ファン７１を回転させる。
【００２８】
アキュムレータ３１、圧縮機３２、四路切換弁３３、室外熱交換器３０および電動膨張弁３４は室外機３内に配置されている。アキュムレータ３１は、圧縮機３２の吸入側に接続され、四路切換弁３３は、圧縮機３２の吐出側に接続されている。
【００２９】
また、室外機３には、プロペラファン３８と室外ファンモータユニット３９とが設けられている。プロペラファン３８は、室外熱交換器３０で熱交換された空気を外部に排出する。室外ファンモータユニット３９は、プロペラファン３８を回転させる。
【００３０】
＜室内機の構成＞
図３は、空気調和装置の室内機の右側面断面図である。
【００３１】
（上部ケーシング）
上部ケーシング６は、室内機２の上部を覆っている。この上部ケーシング６には、吸込口６０，６１が設けられている。室内熱交換器５０は、ファン７１の円周面に対向して配置されており、ファン７１の前方、上方および後方を取り囲むように取付けられている。室内熱交換器５０では、ファン７１を回転させることで、吸込口６０，６１から吸い込まれた空気と、冷媒との間で熱交換が行われている。
【００３２】
（下部ケーシング）
下部ケーシング７０は、外面部７９、支持枠７８等によって構成されている。外面部７９は、正面視において室内機２の外面として視野に現れる部分である。また、外面部７９には、室内機２の長手方向に沿う開口からなる吹出口７４１が設けられている。図３に示すように、吹出口７４１は、ファン７１が収納された内部空間に連通している。この吹出口７４１から、ファン７１によって生成された空気流が室内へと吹き出される。また、吹出口７４１には、吹き出される空気流を案内する水平フラップ７４２が設けられている。水平フラップ７４２は、室内機２の長手方向に平行な軸を中心に回動自在に設けられている。この水平フラップ７４２は、フラップモータ（図示せず）によって回転駆動され、吹出口７４１を開閉することができる。
【００３３】
（送風ユニット）
図４は、送風ユニットの概略平面図である。送風ユニット８は、ファン７１と、ファン７１を回転させるための室内ファンモータユニット７２とを有している。ファン７１は、ＡＳ樹脂などの樹脂材料で、長細い円筒形状に形成されており、長軸が水平になるように配置される。
【００３４】
（ファン）
図５は、支持枠に組立てられたファン及び室内ファンモータユニットの断面図である。また、ファン７１は、エンドプレート７１０，７１１と、第１シャフト７１２と、第２シャフト７１３と、羽部７１４とを有している。エンドプレート７１０，７１１は、羽部７１４の両側に設けられている。エンドプレート７１０は、ファン７１と後述の回転子７１９とを連結するために、回転子７１９と一体に形成されている。第１シャフト７１２はエンドプレート７１０の回転軸線上に配置され、エンドプレート７１０に連結されている。第２シャフト７１３はエンドプレート７１１の回転軸線上に配置され、エンドプレート７１１に連結されている。これら第１シャフト７１２と第２シャフト７１３とは、ファン７１が回転する際の回転軸となる。
【００３５】
（室内ファンモータユニット）
室内ファンモータユニット７２は、アウターロータ型のモータであり、回転子７１９と固定子組立体７２０とを有している。
【００３６】
回転子７１９は、微小な磁石粒を含む樹脂材料により形成されており、固定子組立体７２０の固定子７２１から発生する磁力により回転する。なお、回転子７１９は、固定子７２１の径方向外側に配置されている。
【００３７】
図６は、固定子組立体の分解斜視図である。図６に示すように、固定子組立体７２０は、固定子７２１と、固定子ハウジング７３１と、防振ゴム７７と、固定子軸受７５とから成る。固定子７２１は、軸方向に突出する円柱部７２２と、円柱部７２２の径方向外側に突出した突出部７２３とを有する。
【００３８】
円柱部７２２は、磁界を発生させるための鉄心（図示せず）やコイル（図示せず）などを収納しており、回転子７１９の内周面と一定の隙間を保って配置される（図５参照）。突出部７２３には、防振ゴム７７が装着される。固定子７２１は、中央に軸方向に貫通する軸受穴７２４を有している。
【００３９】
図６に示すように、固定子ハウジング７３１は、固定子ケース７３２と固定子カバー７３９とから成る。固定子ケース７３２は、円筒部７３３と円筒部７３４とを有する。また、図５で示すように、円筒部７３３内には、固定子７２１の円柱部７２２が配置されており、その円柱部７２２の外周面と円筒部７３３の内周面との間には所定の空間７３３ａが確保されている。この空間７３３ａには、回転子７１９が差し込まれるが、回転子７１９の外周面と円筒部７３３の内周面とは一定の隙間が確保されている。
【００４０】
固定子カバー７３９は、中央に確認穴７３９ａを有する。確認穴７３９ａは、固定子７２１の軸受穴７２４よりも内径が大きい。このため、固定子軸受７５が、固定子７２１の軸受穴７２４へ挿入されたとき、固定子軸受７５が軸受穴７２４に正確に嵌合しているか否かが、外側から確認される。
【００４１】
（軸受）
図７は、第１シャフト、固定子軸受、および固定子の分解断面図である。図７に示すように、軸受穴７２４は３つの円筒状の穴が一列に並んだものであり、図７正面視右側にある第１円筒穴７２４ａと、第１円筒穴７２４ａの隣に位置し径が最も小さい第２円筒穴７２４ｂと，第２円筒穴７２４ｂの隣に位置し径が最も大きい第３円筒穴７２４ｃとから成る。
【００４２】
また、第１円筒穴７２４ａと第２円筒穴７２４ｂとの径寸法の差によって、凸状段差７２４ｄが形成されている。さらに、第２円筒穴７２４ｂと第３円筒穴７２４ｃとの径寸法の差によって、凸状段差７２４ｅが形成されている。
【００４３】
図７に示すように、固定子軸受７５は、ファン７１の第１シャフト７１２を支持する部材であり、軸受部７５１と、軸受保持部７５２とから成る。
【００４４】
軸受部７５１は、合成樹脂で形成されており、固定子７２１のほぼ中央部に配置される。この軸受部７５１は、ファン７１が回転軸方向に移動できるように第１シャフト７１２を軸支している。軸受保持部７５２は、ゴム材料で円筒形状に形成されており、ファン７１の回転による軸受部７５１の微小振動を抑制するため軸受部７５１を包み込むように支持している。
【００４５】
軸受保持部７５２は、径寸法の異なる３つの円筒が一列に並んだ形状をしている。軸受保持部７５２は、固定子７２１中央の軸受穴７２４に挿入される。そのため、先に挿入される第１円筒７５２ａの端部には、挿入性を良くするため面取りが施されている。第２円筒７５２ｂは、第１円筒７５２ａの隣にあり、３つの円筒のうちで径が最も小さい。第３円筒７５２ｃは、第２円筒７５２ｂの隣にあり、３つの円筒のうちで径が最も大きくテーパが付いている。また、第１円筒７５２ａと第２円筒７５２ｂとの径寸法の差によって、凹状段差７５２ｄが形成され、第２円筒７５２ｂと第３円筒７５２ｃとの径寸法の差によって、凹状段差７５２ｅが形成されている。
【００４６】
固定子７２１の軸受穴７２４に挿入された軸受保持部７５２の第１円筒７５２ａ、第２円筒７５２ｂおよび第３円筒７５２ｃは、それぞれ軸受穴７２４の第１円筒穴７２４ａ、第２円筒穴７２４ｂおよび第３円筒穴７２４ｃと嵌合する。即ち、第１円筒７５２ａは第１円筒穴７２４ａと、第２円筒７５２ｂは第２円筒穴７２４ｂと，第３円筒７５２ｃは第３円筒穴７２４ｃと嵌合する。軸受穴７２４の凸状段差７２４ｄと第１軸受保持部７５２の凹状段差７５２ｄとが互いに干渉するので、軸受保持部７５２が軸受穴７２４から抜け落ちることはない。さらに、軸受穴７２４の凸状段差７２４ｅと軸受保持部７５２の凹状段差７５２ｅとが互いに干渉するので、軸受保持部７５２が軸受穴７２４から挿入方向に抜け出ることはない。
【００４７】
図５で示したように、ファン軸受７６は、ファン７１の第２シャフト７１３を支持する軸受であり、軸受部７６１と、軸受保持部７６２とから成る。
【００４８】
軸受部７６１は、合成樹脂で形成されており、ファン７１が回転軸方向に移動できるように第２シャフト７１３を軸支している。軸受保持部７６２は、ゴム材料で円筒形状に形成されており、ファン７１の回転による軸受部７６１の微小振動を抑制するために軸受部７６１を包み込むように支持している。
【００４９】
＜回転子およびファンの回転が各部に及ぼす影響＞
以下に、回転子７１９およびファン７１が回転したときに、回転子７１９およびファン７１が各部に及ぼす影響について説明する。
【００５０】
回転子７１９およびファン７１が第１シャフト７１２および第２シャフト７１３を中心に回転すると、回転子７１９およびファン７１の回転に伴う微小振動が、第１シャフト７１２および第２シャフト７１３から固定子軸受７５およびファン軸受７６に伝達される。
【００５１】
そして、固定子軸受７５において、微小振動は、第１シャフト７１２を軸支する軸受部７５１によって抑制される。また、ファン軸受７６において、微小振動は、第２シャフト７１３を軸支する軸受部７６１によって抑制される。
【００５２】
そして、軸受部７５１および軸受部７６１によって抑制しきれなかった振動については、固定子軸受７５から固定子７２１に、ファン軸受７６から支持枠７８に伝達される。そして、固定子軸受７５から固定子７２１に伝達された振動は、固定子７２１の突出部７２３に装着された防振ゴム７７によって吸収され抑制される。
【００５３】
＜固定子組立体の組立＞
ここでは、図６を参照しながら固定子組立体７２０の組立方法を説明する。先ず、作業者は、固定子７２１の３つの突出部７２３に、防振ゴム７７の振動吸収体７７１，７７２，７７３を装着する。
【００５４】
次に、作業者は、固定子７２１を固定子ケース７３２内の円筒部７３４側から円筒部７３３側に向かって挿入する。このとき、振動吸収体７７１，７７２，７７３は、円筒部７３４の仕切７３４ａに沿うように位置決めされ、振動吸収体７７１，７７２，７７３が、固定子ケース７３２の段差７３５に当るまで挿入される。
【００５５】
次に、作業者は、固定子カバー７３９を固定子ケース７３２の円筒部７３４側から固定子ケース７３２の内部に向かって挿入する。このとき、固定子カバー７３９の爪７３９ｄ，７３９ｅは、固定子ケース７３２の爪穴７３２ｄ，７３２ｅに嵌るところまで挿入される。
【００５６】
次に、作業者は、固定子軸受７５を固定子７２１の円柱部７２２側から軸受穴７２４の内部に向かって挿入する。このとき、固定子軸受７５の第１円筒７５２ａ、第２円筒７５２ｂ、および第３円筒７５２ｃが、それぞれ軸受穴７２４の第１円筒穴７２４ａ、第２円筒穴７２４ｂ、および第３円筒穴７２４ｃに嵌合する。
【００５７】
なお、固定子軸受７５が軸受穴７２４に確実に挿入されたか否かを確認するため、作業者は、固定子カバー７３９の確認穴７３９ａから、軸受穴７２４の第１円筒穴７２４ａに固定子軸受７５の第１円筒穴７５２ａが嵌合していることを目視する。
【００５８】
＜固定子組立体の支持枠への位置決め＞
図８は、送風ユニットが支持枠に組立てられる状態を示す斜視図である。支持枠７８は、ファン７１の羽部７１４の背面側を覆う背面板７８６と、ファン７１の羽部７１４の下方を覆う下方板７８７とが略Ｌ字状に連結された構造体である。支持枠７８のコーナーには、固定子ケース７３２外周のほぼ半分を保持する外周保持部７８８が形成されている。固定子ケース７３２が、外周保持部７８８に位置決めされた後、外周保持板８１が、露出している固定子ケース７３２の外周を覆うように支持枠７８へ取付けられる。
【００５９】
＜室内ファンモータユニットの取り外し＞
故障等によって、作業者が、室内ファンモータユニット７２を交換しなければならない場合、先ず、固定子ケース７３２から固定子カバー７３９を外し、次に、固定子７２１を軸方向に抜き取る。このように、外周保持板８１を付けたままの状態で、固定子７２１を外すことができるので、作業性が良い。
【００６０】
＜特徴＞
（１）
室内ファンモータユニット７２では、固定子ケース７３２の一端が固定子カバー７３９で覆われても、作業者は、固定子カバー７３９の確認穴７３９ａから固定子７２１の軸受穴７２４を目視することができる。このため、作業者は、固定子軸受７５が軸受穴７２４に正しく挿入されているか否かを、固定子カバー７３９の確認穴７３９ａから目視で確認することができ、固定子軸受７５の挿入不良があった場合でも、その挿入不良が早期に発見される。
（２）
室内ファンモータユニット７２では、軸受穴７２４が、固定子軸受７５の移動を規制する凸状段差７２４ｄ，７２４ｅを有する。また、固定子軸受７５は、軸受穴７２４の凸状段差７２４ｄ，７２４ｅが嵌り込む凹状段差７５２ｄ，７５２ｅを有する。
この室内ファンモータユニット７２では、作業者が軸受穴７２４に固定子軸受７５を挿入したときに、軸受穴７２４の凸状段差７２４ｄ，７２４ｅが凹状段差７５２ｄ，７５２ｅに嵌り込む感覚が作業者の手に伝達される。このため、作業者は、軸受穴７２４に固定子軸受７５が正しく挿入されたことを容易に認識することができる。
また、軸受穴７２４の凸状段差７２４ｄ，７２４ｅが、固定子軸受７５の凹状段差７５２ｄ，７５２ｅに嵌り込んだときに、固定子軸受７５の挿入方向側端部が固定子カバー７３９の確認穴７３９ａ側から目視できる位置に到達している。このため、作業者は、固定子軸受７５の挿入方向側端部の到達位置を確認穴７３９ａから確認することで、軸受穴７２４の凸状段差７２４ｄ，７２４ｅが、固定子軸受７５の凹状段差７５２ｄ，７５２ｅに正確に嵌り込むまで固定子軸受７５が正しく挿入されたか否かを判定することができ、次の組立工程に軸受の挿入不良品が流出することを未然に防止することができる。
（３）
室内ファンモータユニット７２の組立時は、固定子ケース７３２に固定子７２１と固定子カバー７３９とが組み込まれた後に、固定子軸受７５が軸受穴７２４に挿入される。
この室内ファンモータユニット７２では、固定子ケース７３２、固定子７２１および固定子カバー７３９の組立が先に行われるので、塵などの異物が固定子軸受７５の表面に付着することがない。このため、第１シャフト７１２と固定子軸受７５との間に異物が介在しないので異常音を発生させることがない。
【産業上の利用可能性】
【００６１】
以上の様に、本発明は、組立後に軸受の挿入状態を確認できるので、特に、回転子と固定子を分離する構造のファンモータユニットに有用である。
【図面の簡単な説明】
【００６２】
【図１】空気調和装置の外観図。
【図２】空気調和装置の冷媒回路の構成図。
【図３】空気調和装置の室内機の右側面断面図。
【図４】送風ユニットの概略平面図。
【図５】支持枠に組立てられたファン及び室内ファンモータユニットの断面図。
【図６】固定子組立体の分解斜視図。
【図７】第１シャフト、固定子軸受、および固定子の分解断面図。
【図８】送風ユニットが支持枠に組立てられる状態を示す斜視図。
【符号の説明】
【００６３】
２  空調室内機
７１  ファン
７２  室内ファンモータユニット
７５  軸受
７１２  第１シャフト（回転軸）
７１９  回転子
７２１  固定子
７２４  軸受穴
７２４ｄ，７２４ｅ  凸状段差
７２９ａ  確認穴
７３１  固定子ハウジング
７３２  固定子ケース
７３９  固定子カバー
７５２ｄ，７５２ｅ  凹状段差
【図１】
2008088831.tif 000003
【図２】
2008088831.tif 000004
【図３】
2008088831.tif 000005
【図４】
2008088831.tif 000006
【図５】
2008088831.tif 000007
【図６】
2008088831.tif 000008
【図７】
2008088831.tif 000009
【図８】
2008088831.tif 000010